(57)【要約】【課題】  剥離性接着剤の塗布パターンを工夫し、開封が容易な封筒を得る。【解決手段】  封筒１の口糊加工はアドヘア式であり、フラップ部４と袋体部２の双方に剥離性接着剤による塗布部が設けられている。フラップ部４側における塗布部５はフラップ部４の一端部４ａ側から他端部４ｂ側に向けて、一様の厚みで、徐々に細幅部５ａから幅広の太幅部５ｂと至る塗布パターンとされている。袋体部２側には、塗布部７が袋体部２とフラップ部４との境界線と平行に設けられている。  使用に際しては、フラップ部４を折り曲げて開口部３を閉止し、塗布部５と塗布部７とを加圧して接着する。開封に際しては、フラップ部４を端部からめくって引き剥がしてゆく。この引き剥がしは、塗布パターンの始端である細幅部５ａから始めるので引き剥がしが容易となり、そのままの勢いで終端の太幅部５ｂまで接着部を引き剥がすことができる。【選択図】図１
2017202861.tif 000002
【特許請求の範囲】
【請求項１】
フラップ部及び袋体部に剥離性接着剤を塗布し、前記フラップ部により前記袋体部の開口部を封緘する封筒であって、
前記フラップ部及び前記袋体部の少なくとも一方の前記接着剤は、前記フラップ部と前記袋体部との境界線に平行に、前記フラップ部の長手方向の両端である一端部側から他端部側に向けて、一様の塗布量の厚みで、前記一端部である始端から前記他端部である終端に向けて塗布量を徐々に大きくした塗布パターンを塗布したことを特徴とする封筒。
【請求項２】
口糊加工はアドヘア式として、前記フラップ部又は前記袋体部には前記塗布パターンとして前記接着剤を塗布し、残りの前記袋体部又は前記フラップ部には一様な幅に前記接着剤を塗布したことを特徴とする請求項１に記載の封筒。
【請求項３】
前記塗布パターンは前記接着剤の塗布幅を前記始端の細幅部から前記終端の太幅部まで形状を変化させたことを特徴とする請求項１又は２に記載の封筒。
【請求項４】
前記塗布パターンは前記接着剤の塗布密度を前記始端から前記終端まで小から大に変化させたことを特徴とする請求項１又は２に記載の封筒。
【請求項５】
前記塗布パターンの前記始端に面積の大きな塗布部を設けたことを特徴とする請求項１〜４に記載の封筒。
【請求項６】
前記フラップ部の先端縁に沿って複数個の点状塗布部を設けたことを特徴とする請求項１〜５に記載の封筒。
【請求項７】
前記フラップ部の表側には前記フラップ部の開封すべき個所を指示する文字又は記号を印刷したことを特徴とする請求項１〜６の何れか１項に記載の封筒。
【発明の詳細な説明】
【技術分野】
【０００１】
本発明は、剥離性接着剤を用いた開封し易い封筒に関するものである。
【背景技術】
【０００２】
ダイレクトメールや定期刊行物等を送付する封筒は、封緘の信頼性よりも、ハサミやペーパーナイフを使用することなく、容易に開封できる簡便な構造のものが求められている。例えば、特許文献１にはアドヘア式の剥離性接着部を設けた封筒が開示されている。
【先行技術文献】
【特許文献】
【０００３】
【特許文献１】特開２００１−２３３３４６号公報
【発明の概要】
【発明が解決しようとする課題】
【０００４】
特許文献１の封筒は、封緘片と封筒本体との双方に接着剤が帯状に同形に塗布されている。
【０００５】
この種の封筒においては、接着剤同士を重ね圧力を付与して封緘した封筒を、開封者が開封する場合に、封緘片をつまんで接着剤を引き剥がすことになる。
【０００６】
しかし、封緘片は封筒本体に一様に幅広に接着されているので、封緘片のどの部分を持って引き剥がしても効率的に整然と剥離できない。剥離に手間取ると、封緘片が部分的に破れたりして、見栄えが悪い状態となる。
【０００７】
本発明の目的は、剥離性接着剤の塗布パターンを工夫し、開封が容易な封筒を提供することにある。
【課題を解決するための手段】
【０００８】
上記目的を達成するための本発明に係る封筒は、フラップ部及び袋体部に剥離性接着剤を塗布し、前記フラップ部により前記袋体部の開口部を封緘する封筒であって、前記フラップ部及び前記袋体部の少なくとも一方の前記接着剤は、前記フラップ部と前記袋体部との境界線に平行に、前記フラップ部の長手方向の両端である一端部側から他端部側に向けて、一様の塗布量の厚みで、前記一端部である始端から前記他端部である終端に向けて塗布量を徐々に大きくした塗布パターンを塗布したことを特徴とする。
【発明の効果】
【０００９】
本発明に係る封筒によれば、フラップ部の剥離性接着剤の塗布量をフラップ部の剥がす方向に沿って変化させることにより、接着剤の塗布量が少ない側から剥離を開始することでフラップ部の剥離が容易となる。
【図面の簡単な説明】
【００１０】
【図１】封筒を裏側から見た説明図である。
【図２】封筒を表側から見た説明図である。
【図３】閉止した状態の封筒の説明図である。
【図４】開封に際してフラップ部をめくり始めた状態の説明図である。
【図５】塗布パターンを変化させた場合の説明図である。
【図６】塗布パターンを変化させた場合の説明図である。
【図７】塗布パターンを変化させた場合の説明図である。
【図８】塗布パターンの始端に面積の大きな塗布部を設けた場合の説明図である。
【図９】塗布パターンを袋体部に設けた場合の説明図である。
【発明を実施するための形態】
【００１１】
本発明を図示の実施例に基づいて詳細に説明する。
図１は使用前の封筒を裏側から見た説明図である。封筒１は紙を断裁し、折り畳んで袋状に成形されており、主体は書類等を収納する袋体部２であり、袋体部２の上部には袋体部２の開口部３を封緘するための台形状のフラップ部４が設けられている。なお、点線は折り線を示している。
【００１２】
この封筒１の口糊加工は例えばアドヘア式であり、フラップ部４と袋体部２の双方に剥離性接着剤による塗布部が設けられている。この剥離性接着剤は、アクリル系や天然ゴム、合成ゴム等のゴム系等を使用し、面状に塗布された接着剤同士を対向させて圧力を加えることにより、互いの高分子が自己拡散により密着状態となる。
【００１３】
フラップ部４側における塗布部５は、フラップ部４の長手方向の両端である一端部４ａ側から他端部４ｂ側に向けて、一様の塗布量の厚みで、徐々に一端部４ａである始端の細幅部５ａから幅広の他端部４ｂである終端の太幅部５ｂと至るような塗布パターンとされている。
【００１４】
図１においては、塗布部５は右側にゆくにつれて幅広になっているが、これは割合の多い右利きの開封者が、右手でフラップ部４の左端から右側に剥がして開封することを想定しているためである。
【００１５】
また、フラップ部４の先端縁には、配送中のフラップ部４のまくれ上りを防止するために、複数個の点状の点状塗布部６が必要に応じて設けられている。
【００１６】
袋体部２側には、同様の剥離性接着剤により塗布した塗布部７が、袋体部２とフラップ部４との境界線を介して、塗布部５と略平行に設けられている。この塗布部７はフラップ部４に塗布された塗布部５の塗布パターンと同形であってもよいが、接着した場合に塗布部５及び点状塗布部６の塗布領域を覆うに足る形状であればよいので、例えば図示のように幅を一定の形状とすることが好ましい。
【００１７】
また図２に示すように、フラップ部４の表側には、「この部分からめくって下さい」のような文字と共に、開封位置を示す矢印等の記号を印刷しておくことが好ましい。
【００１８】
塗布部５、６、７等は印刷機により印刷し、赤外線照射装置などで乾燥させることにより口糊加工は完成する。
【００１９】
使用に際しては、袋体部２に送付すべき郵便物等を入れて、図３に示すようにフラップ部４を折り曲げて開口部３を閉止し、加圧して塗布部５、６と塗布部７とを接着する。これにより対向する塗布部５、６、７同士の高分子が自己拡散して密着され、ポストに投函しても、開口部３はフラップ部４により確実に封緘され、郵便物等が封筒１から脱落することはない。
【００２０】
開封に際しては、図３に示すフラップ部４の表面側の印刷された指示に従って、図４に示すように矢印個所からフラップ部４をめくって引き剥がしてゆく。この引き剥がしは、塗布パターンの始端である塗布密度の小さな細幅部５ａから始めるので引き剥がしが容易となり、そのままの勢いで終端の太幅部５ｂまで接着部を引き剥がすことができる。
【００２１】
また、塗布部５の塗布パターンは、図１に示すように、塗布量を単に細幅部５ａから太幅部５ｂのように変化させるだけでなく、図５に示すように、剥離性接着剤により細幅部５ａから太幅部５ｂに変化する複数本の線条を配列するようにしてもよい。
【００２２】
或いは、図６に示すように、塗布部５をフラップ部４の一端部４ａでは数を少なく他端部４ｂでは数を多くしたり、図７に示すように一端部４ａの塗布部の大きさは小さくし、他端部４ｂでは大きくする塗布パターンとしてもよい。
【００２３】
また図８に示すように、不時の剥離を防止するために、細幅部５ａの端部に例えば塗布幅が他端部４ｂ側の太幅部５ｂの塗布幅と略一致する面積の大きな円形の塗布片部５ｃを設けることも好適である。
【００２４】
この場合のフラップ部４の引き剥がしは、最初は始端の塗布片部５ｃの抵抗により多少開け難いが、一旦、塗布片部５ｃを引き剥がすと、後は細幅部５ａだけなので力をあまり加えることなく、そのままの勢いで終端の太幅部５ｂまで引き剥がすことができる。
【００２５】
上述の実施例においては、フラップ部４において塗布部５の塗布量を変化させたが、図９に示すように、フラップ部４では塗布部５の幅を一定とし、袋体部２における塗布部７の塗布量を変化させ、図１に示す塗布パターンを塗布部７に採用してもよい。
【００２６】
封筒１の口糊加工は上述の実施例のようなアドヘア方式に限らず、グラシンテープ式であってもよい。即ち、フラップ部４又は袋体部２にはアクリル系の接着剤による塗布パターンの上に剥離紙を付設し、この剥離紙を剥がすことにより現れる塗布パターンを用いて、フラップ部４と袋体部２とを接着する。そして、この場合の塗布パターンについては、上述のように接着剤の塗布量をフラップ部４の剥がす方向に沿って変化させればよい。
【００２７】
このように剥離性接着剤はフラップ部４と袋体部２との境界線に平行とし、つまりフラップ部の剥がし方向に沿って、フラップ部４又は塗布部７の接着剤の塗布量を変化させることにより、接着剤の塗布量が少ない側から剥離を開始することで、フラップ部４の剥離が容易となる。
【符号の説明】
【００２８】
１  封筒
２  袋体部
３  開口部
４  フラップ部
５〜７  塗布部
５ｃ  塗布片部
【図１】
2017202861.tif 000003
【図２】
2017202861.tif 000004
【図３】
2017202861.tif 000005
【図４】
2017202861.tif 000006
【図５】
2017202861.tif 000007
【図６】
2017202861.tif 000008
【図７】
2017202861.tif 000009
【図８】
2017202861.tif 000010
【図９】
2017202861.tif 000011
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
フラップ部及び袋体部に剥離性接着剤を塗布し、前記フラップ部により前記袋体部の開口部を封緘する封筒であって、
前記フラップ部及び前記袋体部の少なくとも一方の前記接着剤は、前記フラップ部と前記袋体部との境界線に平行に、前記フラップ部の長手方向の両端である一端部側から他端部側に向けて、一様の塗布量の厚みで、前記一端部である剥離の始端から前記他端部である剥離の終端に至るまで塗布量を徐々に大きくした塗布パターンとして塗布されていることを特徴とする封筒。
【請求項２】
口糊加工はアドヘア式として、前記フラップ部又は前記袋体部には前記塗布パターンとして前記接着剤を塗布し、残りの前記袋体部又は前記フラップ部には一様な幅に前記接着剤を塗布したことを特徴とする請求項１に記載の封筒。
【請求項３】
前記塗布パターンは前記接着剤の塗布幅を前記始端の細幅部から前記終端の太幅部まで変化させたことを特徴とする請求項１又は２に記載の封筒。
【請求項４】
前記塗布パターンの前記始端に面積の大きな塗布部を設けたことを特徴とする請求項１〜３の何れか１項に記載の封筒。
【請求項５】
前記フラップ部の先端縁に沿って複数個の点状塗布部を設けたことを特徴とする請求項１〜４の何れか１項に記載の封筒。
【請求項６】
前記フラップ部の表側には前記フラップ部の開封すべき個所を指示する文字又は記号を印刷したことを特徴とする請求項１〜５の何れか１項に記載の封筒。
【手続補正２】
【補正対象書類名】明細書
【補正対象項目名】０００８
【補正方法】変更
【補正の内容】
【０００８】
上記目的を達成するための本発明に係る封筒は、フラップ部及び袋体部に剥離性接着剤を塗布し、前記フラップ部により前記袋体部の開口部を封緘する封筒であって、前記フラップ部及び前記袋体部の少なくとも一方の前記接着剤は、前記フラップ部と前記袋体部との境界線に平行に、前記フラップ部の長手方向の両端である一端部側から他端部側に向けて、一様の塗布量の厚みで、前記一端部である剥離の始端から前記他端部である剥離の終端に至るまで塗布量を徐々に大きくした塗布パターンとして塗布されていることを特徴とする。
【手続補正３】
【補正対象書類名】明細書
【補正対象項目名】０００９
【補正方法】変更
【補正の内容】
【０００９】
本発明に係る封筒によれば、フラップ部又は袋体部の剥離性接着剤の塗布量をフラップ部の剥がす方向に沿って変化させることにより、接着剤の塗布量が少ない側から剥離を開始することでフラップ部の剥離が容易となる。